(57)【要約】【課題】往信時、通信欄に記載された情報は、第三者の目に触れる状態で送付されるため、通信欄に記載される内容には自ずと制約があった。そこで本発明は、往信情報も第三者の目に触れさせることなく送付可能な往復葉書及びその使用方法を提供することを目的とする。【解決手段】前記課題の目的を達成するために、葉書の２倍のサイズを有するシートの片側半分を２層構造とした往復葉書であって、２層構造の1層目のシートの表出部を受取人宛先表示部とし、２層目のシートの積層部を往信情報記載部とし、2層目のシートの積層されない面を返信情報記載部とし、返信情報記載部の裏面を差出人宛先表示部とした往復葉書及びその使用方法を提供する。【選択図】  図１
2005262758.tif 000002
【特許請求の範囲】
【請求項１】
葉書の２倍のサイズを有するシートの片側半分を２層構造とした往復葉書であって、
２層構造の1層目のシートの表出部を受取人宛先表示部とし、２層目のシートの積層部を往信情報記載部とし、2層目のシートの積層されない面を返信情報記載部とし、返信情報記載部の裏面を差出人宛先表示部としたことを特徴とする往復葉書。
【請求項２】
請求項１に記載の往復葉書において、1層目のシートの少なくとも一部が往信部の幅サイズより狭くなっていることを特徴とする往復葉書。
【請求項３】
請求項１に記載の往復葉書において、積層部は、剥離可能で再接着可能な接着剤で積層されたことを特徴とする往復葉書。
【請求項４】
請求項１〜３に記載の往復葉書において、１層目のシートと、２層目のシートは同一材料で構成されたことを特徴とする往復葉書。
【請求項５】
請求項１〜４に記載の往復葉書において、１層目のシートの受取人宛先印字部と２層目のシートの返信情報記載部には、管理コードが形成されたことを特徴とする往復葉書。
【請求項６】
請求項１〜５何れかに記載の往復葉書を使用する往復葉書の使用方法であって、
葉書の２倍のサイズを有するシートの片側略半分を２層構造とした往復葉書の1層目のシートを剥して２層目のシートの積層部に印字された往信情報を確認し、２層目のシートの返信情報記載部に返信情報を記載し、返信情報記載部を内側に２つ折りにし、２層目のシートの積層部に形成された接着剤で貼り合わせ、返信用葉書とすることを特徴とする往復葉書の使用方法。
【発明の詳細な説明】
【技術分野】
【０００１】
本発明は、往信時，返信時共に通信情報を目視不能な状態にして送付する往復葉書及びその使用方法に関する。
【背景技術】
【０００２】
葉書は、封書に比べて郵送費が安いために、ある程度の個人情報が第三者に漏洩することはやむを得ないとされている。また、往復葉書も、往信時，返信時共に、記載されている情報が第三者に読まれることを前提に使用されている。
【０００３】
そこで、往信葉書と、返信葉書が連接された往復葉書の往信部を剥離可能で再接着可能な接着剤で積層して２層構造とし、受取人は、通信欄に必要情報を記載した後、前記２層構造の１層目の基材を剥し取って、再接着部を露出させ、中央部で２つ折りにし、必要情報を記載した返信欄を再接着させて返信葉書とする往復葉書が提案されている（例えば、特許文献１参照）。
【０００４】
【特許文献１】特願２００３−３４２２５５号公報
【発明の開示】
【発明が解決しようとする課題】
【０００５】
しかしながら、前述の技術では、往信時、通信欄に記載された情報は、第三者の目に触れる状態で送付されるため、通信欄に記載される内容には自ずと制約があった。
そこで本発明は、往信情報も第三者の目に触れさせることなく送付可能な往復葉書を提供するものである。
【課題を解決するための手段】
【０００６】
前記課題の目的を達成するために、本発明の往復葉書の請求項１に記載の発明は、葉書の２倍のサイズを有するシートの片側半分を２層構造とした往復葉書であって、２層構造の1層目のシートの表出部を受取人宛先表示部とし、２層目のシートの積層部を往信情報記載部とし、2層目のシートの積層されない面を返信情報記載部とし、返信情報記載部の裏面を差出人宛先表示部としたことを特徴とするものである。
【０００７】
また、請求項２に記載の発明は、請求項１に記載の発明において、1層目のシートの少なくとも一部が往信部の幅サイズより狭くなっていることを特徴とするものである。
【０００８】
また、請求項３に記載の発明は、請求項１に記載の発明において、積層部は、剥離可能で再接着可能な接着剤で積層されたことを特徴とするものである。
【０００９】
また、請求項４に記載の発明は、請求項１〜３に記載の発明において、１層目のシートと、２層目のシートは同一材料で構成されたことを特徴とするものである。
【００１０】
また、請求項５に記載の発明は、請求項１〜４に記載の発明において、１層目のシートの受取人宛先印字部と２層目のシートの返信情報記載部には、管理コードが形成されたことを特徴とする往復葉書。
【００１１】
また、請求項６に記載の発明の往復葉書の使用方法は、請求項１〜５何れかに記載の往復葉書を使用する往復葉書の使用方法であって、葉書の２倍のサイズを有するシートの片側略半分を２層構造とした往復葉書の1層目のシートを剥して２層目のシートの積層部に印字された往信情報を確認し、２層目のシートの返信情報記載部に返信情報を記載し、返信情報記載部を内側に２つ折りにし、２層目のシートの積層部に形成された接着剤で貼り合わせ、返信用葉書とすることを特徴とするものである。
【発明の効果】
【００１２】
１）請求項１〜３に記載のように、葉書の２倍のサイズを有するシートの片側半分を２層構造とした往復葉書であって、２層構造の1層目のシートの表出部を受取人宛先印字部とし、２層目のシートの積層部を往信情報印字部とし、２層目のシートの積層されない面を返信情報記載部とし、返信情報記載部の裏面を差出人宛先表示部としたことにより、
また、積層部を剥離可能で再接着可能な接着剤で積層することによって、往信情報が第三者へ漏洩することを防ぐことができ、また、1層目のシートの少なくとも一部が往信部の幅サイズより狭くなっていることにより、２層目から容易に剥がすことができる。
２）また、請求項４に記載のように、請求項１〜３に記載の往復葉書において、１層目のシートと、２層目のシートは同一材料で構成されたことによって、往復葉書の製造工程の簡素化と送信情報の精度向上を計ることができる。
３）また、請求項４に記載のように、請求項１〜３に記載の往復葉書において、１層目のシートの受取人宛先印字部と２層目のシートの返信情報記載部には、管理コードが形成されていることによって１層目のシートと２層目のシートに印字された内容の整合性を容易に確認することができる。
４）また、請求項５に記載のように、請求項１〜４何れかに記載の往復葉書を使用する往復葉書の使用方法であって、葉書の２倍のサイズを有するシートの片側半分を２層構造とした往復葉書の1層目のシートを剥して２層目のシートの積層部に印字された往信情報を確認し、２層目のシートの返信情報記載部に返信情報を記載し、返信情報記載部を内側に２つ折りにし、２層目のシートの積層部に形成された接着剤で貼り合わせ、返信用葉書とすることによって、往信情報と返信情報の第三者への漏洩を防ぐことができる。
【発明を実施するための最良の形態】
【００１３】
以下図面を参照して、本発明の好適な一実施形態である往復葉書及びその使用方法について説明する。
図１は、本発明の一実施形態である往復葉書について説明するための往信面側平面図，図２は、１層目と２層目が積層される前の印字面平面図，図３は、図１の裏面平面図，図４は、本発明の往復葉書の使用方法の一例について説明するための図，図５は、印刷を終えた往復葉書フォームの一例について説明するための平面図，図６は、図５の往復葉書フォームに往信情報が印字された状態について説明するための平面図，図７は、図６の印字済往復葉書フォームに積層のための接着剤を塗布する方法の一例について説明するための平面図，図８は、積層された往復葉書フォームについて説明するための平面図，図９は、図１のＡ−Ａ線断面図，図１０は、往信葉書が送付される時の状態について説明するための断面図，図１１は、返信葉書が送付される時の状態について説明するための断面図，である。
【００１４】
図１を参照して本発明の一実施形態である往復葉書について説明する。
受取人宛先情報印字欄１００が形成された１層目のシートには、受取人の宛先情報、即ち受取人の住所、受取人名、表示していないが郵便番号などがプリンタなどによって印字される。
受取人宛先情報印字欄１００が表示された１層目のシートの下部には、往信情報印字欄１１０が形成された２層目のシートが粘着剤（以下接着剤という。）で積層されている。
２層目のシートの積層されていない部分は、返信情報を記載する返信情報記載欄１２０になっている。
２層目のシートの中央部分は、折り曲げ部１１になっており、図１では表示していないが「印刷で折り曲げ部」と印刷表示することもできる。
受取人宛先情報印字欄１００と、返信情報記載欄１２０には、積層管理のための管理コード３が形成されている。
【００１５】
図２を参照して１層目と２層目が積層される前の状態について説明する。
本実施の形態では、１層目となる往信紙片ａと、返信紙片部となる２層目紙片部ｂ，紙片部ｃは図のように横に連接された一枚の紙になっている。
連続フォームの形態を取る場合は、２層目のシートの左右と、１層目の左側（両側でもよい。）には紙を送るためのスプロケットホールが形成されており、横に連接されたａ紙片、及び紙片部ｂ，紙片部ｃのフォームが縦にも連接されて連続フォームとなっている。
１層目のシートである紙片ａには受取人宛先情報「日本太郎」や「日本太郎の住所」，管理コード「１２３４５６」が印字または、印刷されている。
２層目のシートの積層される左側の紙片部ｂには、差出人から受取人宛の往信情報、即ち「今回の御利用明細」が印字され、「日本太郎」の口座から引き落とされる予定の金額「９９，９９９」がプリントで表示されている。
２層目のシートの積層されない右側の紙片部ｃには返信情報を記載する欄が形成されており、往信情報はなく、「通信欄」や、「記入日」など文字と罫線だけが印刷されている。
また、紙片ｃ部の右下には管理コードの「１２３４５６」が印字または、印刷されている。管理コードは、図に示すように数字や、数字の始め、終りに管理記号やアルファベット、仮名などを付けて表示してもよい。
【００１６】
図３は、図１に示す往復葉書１の裏面である。
紙片ｃ部の差出人宛先情報表示欄１３０には、差出人である「○○カード株式会社」名と、「○○カード株式会社の住所」が印刷されている。
また、紙片ｂ部の返信葉書裏面１４０には、印刷地紋または、通信事項などが印刷されている。
返信葉書裏面１４０には、返信情報記載欄に記載された返信情報が返信葉書裏面１４０から読取ることができないように細かな地紋や、細かな文字などを印刷する。
【００１７】
図４を参照して、本発明の往復葉書の使用方法の一例について説明する。
往復葉書が「○○カード株式会社」から「日本太郎」に送信される。
「日本太郎」は、往復葉書を受け取って、「黒矢印１」に示すように宛先情報が印字された１層目のシートを２層目のシートから剥し取る。
次に、「黒矢印２」に示すように往信情報を読んで、往信情報の問題点、または、往信情報に記載された回答情報を返信情報記載欄に記載する。
次いで「黒矢印３」に示すように、返信葉書とするために、返信情報記載欄が内側になるように折り曲げ部で２つ折りし、図のように返信葉書とする。
【００１８】
図５を参照して、印刷を終えた往復葉書フォームの一例について説明する。
葉書３枚分（ａ＋ｂ＋ｃ）の幅プラス、３〜４本のスプロケットホールが形成可能な幅のロール紙を用意する。
フォーム印刷機で図に示すような文字，罫線，図柄，スリット位置を示すマーク１２，１３，１４の印刷を行いながら、スプロケットホール１５，１６，１７を形成する。表示しないが横ミシンを施しジグザグ状に折り畳む。
プリンターがロール紙のままプリント可能になっている場合は、ロール状にリワインドする。
スプロケットホールは、プリンタによる印字処理の際の送り孔として、また、積層の際の丁合装置の送り孔として使用される。
スプロケットホール１６は、左側に１本追加する場合もある。
また、スプロケットホール１７は、フォームの幅方向に「あそび」を持たせるために図に示すように楕円孔とすることもある。
紙片部ｃと、紙片部ｂの中心部に折り易いように折り部１１に押し筋を形成する場合もある。また、単に場所を明示するための点線などを印刷によって表示してもよい。
【００１９】
図６を参照して、図５の往復葉書フォームに往信情報が印字された状態について説明する。
印刷された往復葉書フォームは、プリンタに掛けられ、前述の受取人宛先情報が紙片ａに、往信情報が紙片部ｂに、管理コードが紙片ａ，紙片部ｃに印字される。
スプロケットホール１５，１７は、プリンタでプリントされる際にフォームの送り孔として使用される。
【００２０】
図７を参照して、図６の印字済往復葉書フォームに積層のための接着剤を塗布する方法の一例について説明する。
積層のための接着剤は、接着剤塗布ユニットを有する丁合装置で塗布される。
丁合装置に、往復葉書の往信情報がプリントされたフォームをセットし、スプロケットホール１２，１７でフォームを駆動しながら紙片部ｂに接着剤２を塗布し、スリッターマーク１３の位置をスリッター４でスリットする。
スリットされた紙片ａ，紙片部ｂ，ｃ部は、重ね合わせるために必要なスペースを経て、スプロケットホール１５が、スプロケットホール１６の上に重ねられ、紙片部ｂの上部に正しく重ねられる。
重ねられたスプロケットホール１５，１６及び、スプロケットホール１７によってフォームは駆動され、紙片ａと紙片部ｂが重なった部分は、圧着ユニットで圧着され、紙片ａと紙片部ｂは積層される。積層された状態が図８に示す単票になった状態である。
【００２１】
図８を参照して、積層された往復葉書について説明する。
紙片ａと、紙片部ｂは積層され、スプロケットホール１５，１６は孔の輪郭を共有した状態になっている。
積層の際に、紙片ａ部である１層目と、紙片部ｂ，ｃ部である２層目がずれて重ねられ、丁合される場合がある。これを防止するために、管理コード３を形成する。
紙片ａ，紙片部ｃに印字された管理コード３を照合し、一致していることを確認する。管理コードが一致していれば紙片ａは正しく紙片部ｂに積層されたことが判る。
積層された往復葉書フォームのスプロケットホール形成部は、スリットマーク１２，１４の位置で、スリッターによって切り落される。
【００２２】
図９を参照して、図１のＡ−Ａ線断面について説明する。
２層目のシートは、折り部１１を中心として、左側にｂ紙片部を、右側にｃ紙片部を形成している。
ｂ紙片部の上部には、接着剤層２，剥離剤層５を介してａ紙片が積層されている。
ｂ紙片部とｃ紙片部は折り部１１を中心に同じ長さ、即ち、往復葉書の幅サイズになっている。
ｂ紙片部の上部に積層されたａ紙片部は、ｂ紙片部から剥がし易いように、前述の往復葉書の幅サイズより狭くして積層することもできる。この場合ａ紙片部の右端は、図の折り部１１より数ミリ左側に形成される。
また、ａ紙片の表出部には受取人宛先情報１００がプリンタによって形成されている。
また、ｂ紙片部の接着剤塗布側表面には往信情報１１０がプリンタによって形成されており、ｃ紙片部の接着剤塗布面の逆側表面には差出人宛先情報１３０が印刷によって形成される。
【００２３】
図１０を参照して、往信葉書が送付される時の状態について説明する。
図９に示す状態に積層された後、折り装置によって２つ折りにされ、往信葉書にされる。
折り装置は、受取人宛先情報１００が表出し、印刷された差出人宛先情報１３０が見えない状態になるように折り部１１の位置で２層目のシートを２つ折りにする。
上記折り畳み工程は、丁合装置の最終ユニットによって行われてもよい。
【００２４】
図１１，図９を参照して、本発明の返信葉書に返信情報が記載された後返信葉書にされて送付される状態について説明する。
受取人は、往復葉書を受け取った後、紙片部ｃの返信情報記載欄１２０に通信事項を記載し、図９に示す接着剤２が塗布された接着面を完全に露出させ、返信情報記載欄１２０を内側にして折り曲げ部１１で折り畳んで接着し返信葉書とする。
【００２５】
図９を参照して、本発明の往復葉書の各層に使用される主な材料の一例について説明する。
１層目のシート，２層目のシートには同一の上質紙１２８ｇ／ｍ2を使用する。
剥離剤層５を形成する剥離剤には、紫外線硬化型インキのメジウムを使用する。
その他の印刷インキには、紫外線硬化型の有色インキを使用する。
接着剤層２は、剥離可能再接着可能な接着剤として、２ＥＨＡ（２エチルヘキシルアクリレート）等のガラス転移温度が低いアクリル樹脂をエマルジョン化したものを使用する。
【産業上の利用可能性】
【００２６】
往復葉書のような、往信時，返信時共に通信情報を目視不能な状態にして送付する葉書媒体に使用できる。
【図面の簡単な説明】
【００２７】
【図１】本発明の一実施形態である往復葉書について説明するための往信面側平面図である。
【図２】１層目と２層目が積層される前の印字面平面図である。
【図３】図１の裏面平面図である。
【図４】本発明の往復葉書の使用方法の一例について説明するための図である。
【図５】印刷を終えた往復葉書フォームの一例について説明するための平面図である。
【図６】図５の往復葉書フォームに往信情報が印字された状態について説明するための平面図である。
【図７】図６の印字済往復葉書フォームに、積層のための接着剤を塗布する方法の一例について説明するための平面図である。
【図８】積層された往復葉書フォームについて説明するための平面図である。
【図９】図１のＡ−Ａ線断面図である。
【図１０】往信葉書が送付される時の状態について説明するための断面図である。
【図１１】返信葉書が送付される時の状態について説明するための断面図である。
【符号の説明】
【００２８】
１      往復葉書
２      接着剤層
３      管理コード
４      スリッター
５      剥離剤層
１１    折り曲げ部
１２，１３，１４  スリット位置を示すマーク
１５，１６，１７  スプロケットホール
１００  受取人宛先情報印字欄
１１０  往信情報印字欄
１２０  返信情報記載欄
１３０  差出人宛先情報表示欄
１４０  返信葉書裏面
ａ      １層目のシート（紙片）
ｂ      ２層目のシートの積層される部分（紙片部）
ｃ      ２層目のシートの積層されない部分（紙片部）
【図１】
2005262758.tif 000003
【図２】
2005262758.tif 000004
【図３】
2005262758.tif 000005
【図４】
2005262758.tif 000006
【図５】
2005262758.tif 000007
【図６】
2005262758.tif 000008
【図７】
2005262758.tif 000009
【図８】
2005262758.tif 000010
【図９】
2005262758.tif 000011
【図１０】
2005262758.tif 000012
【図１１】
2005262758.tif 000013